(57)【要約】      （修正有）【課題】透光部に高い意匠性を得ることができると共に、向こう側の様子が見えにくく、且つ高い強度を得ることができるパネル状製品を提供する。【解決手段】パネル内に透光部Ｔが設けられたパネル状製品は、芯材１１と、一対の透光性板材１２と、一対の不透光性板材とを備える。芯材１１は、一対の透光性板材１２間において、一対の不透光性板材の端辺よりも透光部Ｔ側に張り出した張出部分１１０を含むと共に、張出部分１１０の少なくとも一方の面は、対向する透光性板材１２の内側面との間に間隙を有する部分を含む。【選択図】図３
2016176243.tif 000002
【特許請求の範囲】
【請求項１】
パネル内に透光部が設けられたパネル状製品であって、
前記透光部の開口を形成するための芯材と、
前記芯材を、その長さ方向に沿って両側から挟持すると共に、前記透光部の開口を封じるように設けられた一対の透光性板材と、
前記一対の透光性板材における前記芯材を挟持した部分を、その長さ方向に沿って両側から挟持すると共に、前記透光部を露出させるように設けられた一対の不透光性板材と、
を備え、
前記芯材は、前記一対の透光性板材間において、前記一対の不透光性板材の端辺よりも前記透光部側に張り出した張出部分を含むと共に、前記張出部分の少なくとも一方の面は、対向する前記透光性板材との間に間隙を有する部分を含むことを特徴とするパネル状製品。
【請求項２】
請求項１に記載されたパネル状製品において、
前記張出部分は、横断面において先端に向かうに従って厚さが減少して先細りした形状に形成された部分を含むことを特徴とするパネル状製品。
【請求項３】
請求項１又は２に記載されたパネル状製品において、
前記一対の不透光性板材のそれぞれの前記透光性板材との境界部において、前記不透光性板材の端部の表面側は、横断面において端辺に向かうに従って厚さが減少するように形成されていることを特徴とするパネル状製品。
【請求項４】
請求項３に記載されたパネル状製品において、
前記一対の不透光性板材のそれぞれの前記透光性板材との境界部にＶ字溝が構成されていることを特徴とするパネル状製品。
【請求項５】
間隔をおいて並行に延びるように設けられた一対の芯材と
前記一対の芯材を、それらの長さ方向に沿って両側から挟持するように設けられていると共に、各々、前記一対の芯材のそれぞれを挟持した部分の外側面に、その長さ方向に沿って不透光性板材取付部が構成された一対の透光性板材と、
を備え、
前記一対の芯材の少なくとも一方は、前記一対の透光性板材間において、前記一対の透光性板材の前記不透光性板材取付部の内側端辺よりも内側に張り出した張出部分を含むと共に、前記張出部分の少なくとも一方の面は、対向する前記透光性板材との間に間隙を有する部分を含むことを特徴とする透光部ユニット。
【発明の詳細な説明】
【技術分野】
【０００１】
本発明は、パネル状製品及びそれに用いる透光部ユニットに関する。
【背景技術】
【０００２】
採光を目的として、ドア材等のパネル状製品に開口を形成し、その開口を封じるようにガラスや樹脂等の透光性板材を設けて透光部を構成することが知られている。例えば、特許文献１には、ドア材の中央に芯材で構成された縦長矩形の枠を設けて開口を形成し、その枠の両側のそれぞれに開口を封じるように透光性板材を設けて透光部を構成することが開示されている。
【先行技術文献】
【特許文献】
【０００３】
【特許文献１】特開２００８−２５２０３号公報
【発明の概要】
【発明が解決しようとする課題】
【０００４】
大きな透光部が設けられたドア材では、大面採光による高い意匠性が得られる。その一方、透光部が大きいと、光の透過量が多くなるため、ドア材の向こう側の様子が見えやすくなるという問題がある。また、ドア材の強度が低くなるという問題もある。
【０００５】
本発明の課題は、パネル状製品において、透光部に高い意匠性を得ることができると共に、向こう側の様子が見えにくく、且つ高い強度を得ることができるようにすることである。
【課題を解決するための手段】
【０００６】
請求項１に係る発明は、パネル内に透光部が設けられたパネル状製品であって、
前記透光部の開口を形成するための芯材と、
前記芯材を、その長さ方向に沿って両側から挟持すると共に、前記透光部の開口を封じるように設けられた一対の透光性板材と、
前記一対の透光性板材における前記芯材を挟持した部分を、その長さ方向に沿って両側から挟持すると共に、前記透光部を露出させるように設けられた一対の不透光性板材と、
を備え、
前記芯材は、前記一対の透光性板材間において、前記一対の不透光性板材の端辺よりも前記透光部側に張り出した張出部分を含むと共に、前記張出部分の少なくとも一方の面は、対向する前記透光性板材との間に間隙を有する部分を含むことを特徴とする。
【０００７】
請求項１に係る発明によれば、一対の透光性板材間に芯材の張出部分が不透光性板材の端辺よりも透光部側に張り出し、その張出部分の少なくとも一方の面が透光性板材との間に間隙を有する部分を含むので、透光部に従来にない高い意匠性を得ることができる。また、張出部分があるので、それによる遮蔽効果が得られるため、向こう側の様子を見えにくくすることができる。更に、芯材が張出部分を含むので、芯材が太くなるため、高い強度を得ることができる。
【０００８】
請求項２に係る発明は、請求項１に記載されたパネル状製品において、
前記張出部分は、横断面において先端に向かうに従って厚さが減少して先細りした形状に形成された部分を含むことを特徴とする。
【０００９】
請求項２に係る発明によれば、張出部分が、横断面において先端に向かうに従って厚さが減少して先細りした形状に形成された部分を含むので、透光部において、その部分の影が明確には現れないため、ややぼやけた陰影の独特の意匠を得ることができる。
【００１０】
請求項３に係る発明は、請求項１又は２に記載されたパネル状製品において、
前記一対の不透光性板材のそれぞれの前記透光性板材との境界部において、前記不透光性板材の端部の表面側は、横断面において端辺に向かうに従って厚さが減少するように形成されていることを特徴とする。
【００１１】
請求項３に係る発明によれば、不透光性板材の透光性板材との境界部において、不透光性板材の端部の表面側が、横断面において端辺に向かうに従って厚さが減少するように形成されているので、多少のズレ等が発生しても目立たないため、優れた施工性を得ることができる。
【００１２】
請求項４に係る発明は、請求項３に記載されたパネル状製品において、
前記一対の不透光性板材のそれぞれの前記透光性板材との境界部にＶ字溝が構成されていることを特徴とする。
【００１３】
請求項４に係る発明によれば、不透光性板材の透光性板材との境界部にＶ字溝が構成されているので、面材の側端面同士を面接触させて突き合わせた場合に生じるような段差を防止することができ、また、パネル状製品の表面に構成されるＶ字溝による独特の陰影を現す意匠を得ることができる。
【００１４】
請求項５に係る発明は、間隔をおいて並行に延びるように設けられた一対の芯材と
前記一対の芯材を、それらの長さ方向に沿って両側から挟持するように設けられていると共に、各々、前記一対の芯材のそれぞれを挟持した部分の外側面に、その長さ方向に沿って不透光性板材取付部が構成された一対の透光性板材と、
を備え、
前記一対の芯材の少なくとも一方は、前記一対の透光性板材間において、前記一対の透光性板材の前記不透光性板材取付部の内側端辺よりも内側に張り出した張出部分を含むと共に、前記張出部分の少なくとも一方の面は、対向する前記透光性板材との間に間隙を有する部分を含むことを特徴とする透光部ユニットである。
【００１５】
請求項５に係る発明によれば、ユニット化されているので、パネル内に透光部が設けられたパネル状製品を効率よく製造することができる。
【発明の効果】
【００１６】
請求項１に係る発明によれば、透光部に従来にない高い意匠性を得ることができ、また、向こう側の様子を見えにくくすることができ、更に、高い強度を得ることができる。
【００１７】
請求項２に係る発明によれば、透光部において、ややぼやけた陰影の独特の意匠を得ることができる。
【００１８】
請求項３に係る発明によれば、優れた施工性を得ることができる。
【００１９】
請求項４に係る発明によれば、面材の側端面同士を面接触させて突き合わせた場合に生じるような段差を防止することができ、また、パネル状製品の表面に構成されるＶ字溝による独特の陰影を現す意匠を得ることができる。
【００２０】
請求項５に係る発明によれば、パネル内に透光部が設けられたパネル状製品を効率よく製造することができる。
【図面の簡単な説明】
【００２１】
【図１】実施形態に係る透光部ユニットの正面図である。
【図２】実施形態に係る透光部ユニットの縦断面図である。
【図３】図１におけるIII-III断面の拡大図である。
【図４】実施形態に係るドア材の正面図である。
【図５】実施形態に係るドア材の縦断面図である。
【図６】図４におけるVI-VI断面の拡大図である。
【図７】実施形態に係る透光部ユニットの第１の変形例の横断面図である。
【図８】実施形態に係る透光部ユニットの第２の変形例の横断面図である。
【図９】実施形態に係る透光部ユニットの第３の変形例の横断面図である。
【図１０】実施形態に係るドア材の第１の変形例の正面図である。
【図１１】実施形態に係るドア材の第２の変形例の正面図である。
【図１２】実施形態に係るドア材の第３の変形例の要部の横断面の拡大図である。
【図１３】実施形態に係るドア材の第４の変形例の正面図である。
【図１４】実施形態に係るドア材の第４の変形例の縦断面図である。
【発明を実施するための形態】
【００２２】
以下、実施形態について図面に基づいて詳細に説明する。
【００２３】
（透光部ユニット１０）
図１〜３は、実施形態に係る透光部ユニット１０を示す。実施形態に係る透光部ユニット１０は、ドア材、壁材、間仕切り材等のパネル状製品の透光部Ｔを構成するために用いられる細長部材であり、パネル状製品において、透光部Ｔに高い意匠性を得ることができると共に、向こう側の様子が見えにくく、且つ高い強度を得ることができるようにしたものである。
【００２４】
実施形態に係る透光部ユニット１０は、芯材１１、透光性板材１２、及び封止材１３を、それぞれ一対ずつ備える。
【００２５】
芯材１１は例えば木質の軸材で構成されている。一対の芯材１１は、透光部Ｔの開口を形成するための部材であって、間隔をおいて並行に延びるように設けられており、その外法が透光部ユニット１０の幅と同一である。
【００２６】
透光性板材１２は、例えば板状のガラスや樹脂の面材で構成されているが、軽量化の観点から、板状のアクリル樹脂やポリカーボネート樹脂で構成されていることが好ましい。透光性板材１２は、透明であっても、半透明であっても、どちらでもよいが、透光性及び遮蔽性のバランスの観点から、半透明であることが好ましい。透光性板材１２は、無色であっても、着色されていても、どちらでもよいが、透光性及び遮蔽性のバランスの観点から、着色されていることが好ましい。透光性板材１２は、透光性及び遮蔽性のバランスの観点から、少なくとも一方の表面に、しぼ模様、縞模様、ミスト調模様、幾何学模様等の凹凸模様が構成されていることが好ましい。
【００２７】
透光性板材１２は、長さが芯材１１と同一で且つ幅が透光部ユニット１０の幅と同一の細長矩形に形成されている。一対の透光性板材１２は、一対の芯材１１を、それらの長さ方向に沿って両側から側端部１２１で挟持すると共に、一対の芯材１１間に構成される透光部Ｔの開口を封じるように設けられている。具体的には、表側の透光性板材１２における一方の側端部１２１の内側面と裏側の透光性板材１２における一方の側端部１２１の内側面との間に、側端面を位置合わせして、一方の芯材１１を挟持していると共に、表側の透光性板材１２における他方の側端部１２１の内側面と裏側の透光性板材１２における他方の側端部１２１の内側面との間に、側端面を位置合わせして、他方の芯材１１を挟持している。透光性板材１２は芯材１１に接着剤等により固定されている。
【００２８】
透光性板材１２は、外側面における幅方向の両側のそれぞれに段差部１２２ａを有し、それにより中央部分が厚肉部１２２ｂ及び両側部分が薄肉部１２２ｃにそれぞれ構成されている。芯材１１を挟持した透光性板材１２の側端部１２１は、その薄肉部１２２ｃを含み、そして、その薄肉部１２２ｃの外側面が不透光性板材取付部１２３に構成されている。つまり、透光性板材１２には、芯材１１を挟持した部分の外側面に、その長さ方向に沿って不透光性板材取付部１２３が構成されている。段差部１２２ａは、横断面において厚肉部１２２ｂから薄肉部１２２ｃに向かうに従って厚さが連続して減少する形状に形成され、具体的には、その表面が傾斜面に形成されている。
【００２９】
以上の構成の実施形態に係る透光部ユニット１０では、透光部Ｔは、透光性板材１２が露出する部分、つまり、幅方向の一方の不透光性板材取付部１２３の内側端辺（段差部１２２ａと薄肉部１２２ｃとの境界）と他方の不透光性板材取付部１２３の内側端辺との間の部分で構成される。そして、一対の芯材１１のそれぞれは、一対の透光性板材１２間において、一対の透光性板材１２の不透光性板材取付部１２３の内側端辺よりも内側に張り出した張出部分１１０を含む。
【００３０】
張出部分１１０は、長さ方向に均一な断面形状に形成されている。張出部分１１０の不透光性板材取付部１２３の内側端辺から段差部１２２ａと厚肉部１２２ｂとの境界までの基端部１１１は、厚さが一対の透光性板材１２間の間隔と同一であり、従って、その両面が、それぞれ対向する透光性板材１２の内側面に接触している。また、基端部１１１に続く張出部分１１０の先端までの本体部１１２は、横断面において基端部１１１側から先端に向かうに従って両側から厚さが連続して減少して先細りした形状、具体的には、断面等脚台形状に形成されており、そして、この本体部１１２の部分の両面が、それぞれ対向する透光性板材１２の内側面との間に、張出部分１１０の先端に向かうに従って連続して増加するように形成された間隙を有する。これにより、実施形態に係る透光部ユニット１０では、張出部分１１０の両面が、対向する透光性板材１２の内側面との間に間隙を有する本体部１１２の部分を含む構成となっている。このように張出部分１１０は、横断面において先端に向かうに従って厚さが減少して先細りした形状に形成された本体部１１２の部分を含むので、透光部Ｔにおいて、その部分の影が明確には現れないため、ややぼやけた陰影の独特の意匠を得ることができる。
【００３１】
封止材１３は例えばアルミチャンネル等の軸材の表面に樹脂製の化粧材が設けられたものや木質の軸材で構成されている。封止材１３は、長さが透光部ユニット１０の幅と同一で且つ幅が透光部ユニット１０の厚さと同一に形成されている。一対の封止材１３は、一対の芯材１１及び一対の透光性板材１２により構成された断面ロの字状の筒状体の両側の開口を封じるように設けられている。封止材１３は芯材１１及び透光性板材１２に接着剤等により固定されている。これにより実施形態に係る透光部ユニット１０には中空部１４が構成されるが、これらの一対の封止材１３により中空部１４への埃の侵入を規制することができる。また、封止材１３が断熱素材である樹脂材や木材を含む場合には、中空部１４に冷気が進入し、その温度差により中空部１４内に結露が発生するのを規制することができる。更に、中空部１４により遮音効果を得ることができる。
【００３２】
以上の構成の実施形態に係る透光部ユニット１０を用いれば、ユニット化されているので、ドア材等のパネル内に透光部Ｔが設けられたパネル状製品を効率よく製造することができる。そして、実施形態に係る透光部ユニット１０によれば、一対の透光性板材１２間に芯材１１の張出部分１１０が不透光性板材取付部１２１の内側端辺よりも内側に張り出し、その張出部分１１０の両面が透光性板材１２の内側面との間に間隙を有する本体部１１２の部分を含むので、パネル状製品に組み入れられたときには、透光部Ｔに従来にない高い意匠性を得ることができる。また、張出部分１１０があるので、それによる遮蔽効果が得られるため、向こう側の様子を見えにくくすることができる。更に、芯材１１が張出部分１１０を含むので、芯材１１が太くなるため、高い強度を得ることができる。
【００３３】
（パネル状製品：ドア材２０）
図４〜６は、パネル内に透光部Ｔが設けられたパネル状製品の一例としての実施形態に係るドア材２０を示す。実施形態に係るドア材２０は、引戸、開き戸、引戸・吊戸等を構成するものである。
【００３４】
実施形態に係るドア材２０は、各々、上下方向に延びる一対の縦軸材２１が横方向に間隔をおいて設けられていると共に、それらの一対の縦軸材２１の上端部及び下端部のそれぞれを連結するように横方向に延びる横軸材２２が設けられ、それらの縦軸材２１及び横軸材２２により縦長矩形の枠体２３が構成されている。上下の横軸材２２における長さ方向の中央部の外側には欠損部が設けられており、そこにはアルミニウムなどの金属製又は木製の補強材２２ａが嵌め入れられて固定されている。枠体２３の幅方向の中央部には、上下方向に延びる一対の縦框材２４が横方向に間隔をおいて、それぞれ上下一対の横軸材２２間を連結するように設けられている。
【００３５】
枠体２３の中央部における横軸材２２及び縦框材２４で構成された縦長の開口には、実施形態に係る透光部ユニット１０が嵌め入れられ、芯材１１が縦框材２４に、また、封止材１３が横軸材２２に、それぞれ接着剤等により固定されている。枠体２３の両面のそれぞれには、透光部ユニット１０の透光部Ｔを露出させるように、その両側に縦長矩形の表面化粧板２５（不透光性板材）が設けられ、縦軸材２１、横軸材２２、及び縦框材２４に接着剤等により固定されている。
【００３６】
表面化粧板２５は、例えば木質の面材で構成されており、その表面が透光部ユニット１０の透光性板材１２の表面と同一平面となる厚さを有する。表面化粧板２５の表面の色は、透光部ユニット１０における芯材１１の張出部分１１０の表面の色と同じであっても、また、異なっていても、どちらでもよい。表面化粧板２５の表面の色を芯材１１の張出部分１１０の表面の色と異ならせた場合、張出部分１１０の表面の色を表面化粧板２５の表面の色よりも濃くしてシャープに見せる、或いは、薄くして透光部Ｔを広く見せる等、より意匠のバリエーションを広げることができる。
【００３７】
両面の対応する一対の表面化粧板２５は、透光部ユニット１０の一対の透光性板材１２における芯材１１を挟持した部分に構成された不透光性板材取付部１２３を、その長さ方向に沿って両側から挟持すると共に、透光部ユニット１０の透光部Ｔを露出させるように設けられている。表面化粧板２５の長辺端部２５ａは、透光部ユニット１０の不透光性板材取付部１２３に接着剤等により固定されている。これにより、実施形態に係るドア材２０では、透光部ユニット１０における一対の芯材１１のそれぞれが、一対の透光性板材１２間において、表面化粧板２５の端辺よりも透光部Ｔ側に張り出した張出部分１１０を含むと共に、張出部分１１０の両面が、対向する透光性板材１２の内側面との間に間隙を有する部分を含む構成となっている。
【００３８】
以上の通り、実施形態に係るドア材２０では、実施形態に係る透光部ユニット１０を用いていることにより、一対の透光性板材１２間に芯材１１の張出部分１１０が表面化粧板２５の端辺よりも透光部Ｔ側に張り出し、その張出部分１１０の両面が透光性板材１２の内側面との間に間隙を有する本体部１１２の部分を含むので、透光部Ｔに従来にない高い意匠性を得ることができる。また、張出部分１１０があるので、それによる遮蔽効果が得られるため、向こう側の様子を見えにくくすることができる。更に、芯材１１が張出部分１１０を含むので、芯材１１が太くなるため、高い強度を得ることができる。
【００３９】
各表面化粧板２５の透光部ユニット１０の透光性板材１２との境界部において、表面化粧板２５の長辺端部２５ａの表面側は、横断面において端辺に向かうに従って厚さが連続して減少するように形成され、具体的には、鋭角を形成するように表面が傾斜面に構成されている。そして、表面化粧板２５の長辺端部２５ａの端辺が、透光部ユニット１０の透光性板材１２における不透光性板材取付部１２３の内側端辺（段差部１２２ａと薄肉部１２２ｃとの境界）に突き合わされ、その境界部に、透光部ユニット１０の透光性板材１２の段差部１２２ａの表面の傾斜面と、表面化粧板２５の長辺端部２５ａの表面の傾斜面とにより、上下方向に延びるＶ字溝２６が構成されている。このように表面化粧板２５の透光性板材１２との境界部において、表面化粧板２５の端部の表面側が、横断面において端辺に向かうに従って厚さが減少するように形成されているので、多少のズレ等が発生しても目立たないため、優れた施工性を得ることができる。また、その境界部にＶ字溝２６が構成されているので、面材の側端面同士を面接触させて突き合わせた場合に生じるような段差を防止することができ、更に、ドア材２０の表面に構成されるＶ字溝２６による独特の陰影を現す意匠を得ることができる。
【００４０】
なお、実施形態に係るドア材２０には、その使用態様に応じて、ハンドル、蝶番、引き手が取り付けられる。
【００４１】
（その他の実施形態）
上記実施形態に係る透光部ユニット１０及びドア材２０では、張出部分１１０が長さ方向に均一な断面形状を有する構成としたが、特にこれに限定されるものではなく、張出部分１１０が長さ方向に不均一な断面形状を有する構成であってもよい。
【００４２】
上記実施形態に係る透光部ユニット１０及びドア材２０では、芯材１１を挟持した透光性板材１２の側端部１２１が薄肉部１２２ｃを含むことから、張出部分１１０が、両面が透光性板材１２の内側面に接触した部分の基端部１１１と、それに続いて透光性板材１２の内側面との間に間隙を有する部分の本体部１１２とを含む構成としたが、特にこれに限定されるものではなく、逆に、図７に示すように、芯材１１を挟持した透光性板材１２の側端部１２１が薄肉部１２２ｃに含まれ、張出部分１１０の全部が、両面が透光性板材１２の内側面との間に間隙を有する構成であってもよい。
【００４３】
上記実施形態に係る透光部ユニット１０及びドア材２０では、一つの芯材１１の両方が張出部分１１０を含む構成としたが、特にこれに限定されるものではなく、図８に示すように、一方の芯材１１が張出部分１１０を含み、他方の芯材１１が張出部分１１０を含まない構成であってもよい。
【００４４】
上記実施形態に係る透光部ユニット１０及びドア材２０では、張出部分１１０の両面が透光性板材１２の内側面との間に間隙を有する部分を含む構成としたが、特にこれに限定されるものではなく、図９（ａ）及び（ｂ）に示すように、張出部分１１０の一方の面が透光性板材１２の内側面との間に間隙を有する部分を含み、他方の全面が透光性板材１２の内側面に接触した構成であってもよい。なお、図９（ａ）に示す透光部ユニット１０では、一対の張出部分１１０は、それぞれ横断面において先端に向かうに従って厚さが減少して先細りした形状に形成された部分を含み、また、同じ側の面が透光性板材１２の内側面との間に間隙をする部分を含み、且つ同じ側の全面が透光性板材１２の内側面に接触した構成であり、図９（ｂ）に示す透光部ユニット１０では、一対の張出部分１１０は、それぞれ横断面において先端に向かうに従って厚さが減少して先細りした形状に形成された部分を含み、また、異なる側の面が透光性板材１２の内側面との間に間隙をする部分を含み、且つ異なる側の全面が透光性板材１２の内側面に接触した構成である。
【００４５】
上記実施形態では、パネル内に透光部Ｔが設けられたパネル状製品としてドア材２０を示したが、特にこれに限定されるものではなく、例えば、壁材や間仕切り材であってもよい。
【００４６】
上記実施形態に係るドア材２０では、縦長の透光部Ｔが設けられた構成としたが、特にこれに限定されるものではなく、図１０に示すように、横長の透光部Ｔが設けられた構成であってもよい。
【００４７】
上記実施形態に係るドア材２０では、単一の透光部Ｔが設けられた構成としたが、特にこれに限定されるものではなく、図１１に示すように、２個以上の透光部Ｔが設けられた構成であってもよい。
【００４８】
上記実施形態に係るドア材２０では、透光部ユニット１０の透光性板材１２の表面が表面化粧板２５の表面と同一平面となる構成としたが、特にこれに限定されるものではなく、図１２に示すように、透光部ユニット１０の透光性板材１２の表面が表面化粧板２５の表面よりも内側に位置した構成であってもよい。
【００４９】
上記実施形態に係るドア材２０では、枠体２３に透光部ユニット１０を取り付けた構成としたが、特にこれに限定されるものではなく、図１３及び１４に示すように、ドア材２０の枠体２３に、上下方向に延びるように一対の芯材１１を横方向に間隔をおいて、それぞれ上下一対の横軸材２２間を連結するように設け、ドア材２０に直接的に透光部Ｔを作り込んだ構成であってもよい。
【産業上の利用可能性】
【００５０】
本発明は、パネル状製品及びそれに用いる透光部ユニットについて有用である。
【符号の説明】
【００５１】
Ｔ  透光部
１０  透光部ユニット
１１  芯材
１１０  張出部分
１１１  基端部
１１２  本体部
１２  透光性板材
１２１  側端部
１２２ａ  段差部
１２２ｂ  厚肉部
１２２ｃ  薄肉部
１２３  不透光性板材取付部
１３  封止材
１４  中空部
２０  ドア材（パネル状製品）
２１  縦軸材
２２  横軸材
２２ａ  補強材
２３  枠体
２４  縦框材
２５  表面化粧板（不透光性板材）
２５ａ  長辺端部
２６  Ｖ字溝
【図１】
2016176243.tif 000003
【図２】
2016176243.tif 000004
【図３】
2016176243.tif 000005
【図４】
2016176243.tif 000006
【図５】
2016176243.tif 000007
【図６】
2016176243.tif 000008
【図７】
2016176243.tif 000009
【図８】
2016176243.tif 000010
【図９】
2016176243.tif 000011
【図１０】
2016176243.tif 000012
【図１１】
2016176243.tif 000013
【図１２】
2016176243.tif 000014
【図１３】
2016176243.tif 000015
【図１４】
2016176243.tif 000016